(57)【要約】【課題】  支柱に対し後付けで表示板、看板等の設置物を容易に取り付け可能な連結部材からなる構築部材を提供する。【解決手段】  複数個の連結部材からなる構築部材は、周辺に複数個の溝１１を有する支柱１０と、一端部が前記複数個の溝１１の少なくとも１つに係止される係止部と他端部に第１の連結部１４を有する第１の連結部材１２と、一端部に前記第１の連結部１４と回動自在に結合される第２の連結部１６を有すると共に他端部に取り付け部１７を有する第２の連結部材１５とを具備している。【選択図】      図６
2007278469.tif 000002
【特許請求の範囲】
【請求項１】
周辺に複数個の溝を有する支柱と、
一端部が前記複数個の溝の少なくとも１つに係止される係止部と他端部に第１の連結部を有する第１の連結部材と、
一端部に前記第１の連結部と回動自在に結合される第２の連結部を有すると共に他端部に取り付け部を有する第２の連結部材と
を具備することを特徴とする複数個の連結部材からなる構築部材。
【請求項２】
前記第１及び第２の連結部は結合部材を介して互いに結合されることを特徴とする請求項１記載の複数個の連結部材からなる構築部材。
【請求項３】
前記第２の連結部材において、前記一端部に前記第1の連結部と回動自在に結合される前記第２の連結部を有する部分と前記他端部に前記取り付け部を有する部分とは前記結合部材の軸方向に対する垂直方向において０°〜９０°好ましくは４５°の角度を有していることを特徴とする請求項１又は２記載の複数個の連結部材からなる構築部材。
【請求項４】
前記第２の連結部材は前記結合部材の軸方向と垂直な平面において左右に回動することを特徴とする請求項１乃至３のいずれか１つ記載の複数個の連結部材からなる構築部材。
【請求項５】
前記取り付け部に表示板、看板、梁等の設置物を取り付けることを特徴とする請求項１又は３記載の複数個の連結部材からなる構築部材。
【請求項６】
一端部に前記第１の連結部と回動自在に結合される第３の連結部を有すると共に他端部に前記第２の連結部と回動自在に結合される第４の連結部を有する少なくとも１つの第３の連結部材が前記第１及び第２の連結部材間に介在する請求項１記載の複数個の連結部材からなる構築部材。
【請求項７】
鉛直方向と垂直な平面において一方向に延び、互いに離間した一対の部材からなる構築部材であって、
前記一対の部材の各々は、
一端部が支柱に設けられた複数個の互いに離間した溝に係止される係止部と他端部に第１の連結部を有する第１の連結部材と、
一端部に前記第１の連結部と回動自在に結合される第２の連結部を有すると共に他端部に取り付け部を有する第２の連結部材と
を具備することを特徴とする複数個の連結部材からなる構築部材。
【請求項８】
前記第１及び第２の連結部は結合部材を介して互いに結合されることを特徴とする請求項７記載の複数個の連結部材からなる構築部材。
【請求項９】
前記第２の連結部材において、前記一端部に前記第1の連結部と回動自在に結合される前記第２の連結部を有する部分と前記他端部に前記取り付け部を有する部分とは前記結合部材の軸方向に対する垂直方向において０°〜９０°好ましくは４５°の角度を有していることを特徴とする請求項７又は８記載の複数個の連結部材からなる構築部材。
【請求項１０】
前記第2の連結部材は前記結合部材の軸方向と垂直な平面において左右に回動することを特徴とする請求項７乃至９のいずれか１つ記載の複数個の連結部材からなる構築部材。
【請求項１１】
一端部に前記第１の連結部と回動自在に結合される第３の連結部を有すると共に他端部に前記第２の連結部と回動自在に結合される第４の連結部を有する少なくとも１つの第３の連結部材が前記各第１及び第２の連結部材間に介在する請求項７記載の複数個の連結部材からなる構築部材。
【請求項１２】
前記平面は互いに同一平面又は異なった平面であることを特徴とする請求項７記載の複数個の連結部材からなる構築部材。
【請求項１３】
前記一対の部材は、前記複数個の溝の１つにおいて高さが異なり同一又は異なった方向となるように結合されることを特徴とする請求項７記載の複数個の連結部材からなる構築部材。
【請求項１４】
前記支柱及び前記第１〜３の連結部材は型材からなることを特徴とする請求項１、６、７、１１のいずれか１つ記載の複数個の連結部材からなる構築部材。
【請求項１５】
前記取り付け部に表示板、看板、梁等の設置物を取り付けることを特徴とする請求項７又は９記載の複数個の連結部材からなる構築部材。
【請求項１６】
周辺に互いに離間した複数個の溝を有する少なくとも１つの支柱を互いに対向するように埋設し、
一端部が前記支柱に設けられた前記溝に係止される係止部と他端部に第１の連結部を有する第１の連結部材と、一端部に前記第１の連結部と回動自在に結合される第２の連結部を有すると共に他端部に取り付け部を有する第２の連結部材とからなる一対の部材を前記取り付け部が互いに対向するように前記各支柱の前記溝に取り付け、
前記対向する取り付け部に設置物を取り付ける
ことを具備することを特徴とする設置物の設置方法。
【請求項１７】
前記各支柱の互いに離間した前記溝に前記取り付け部が互いに対向するように取り付け、前記対向する支柱の前記取り付け部に梁を固定することを特徴とする請求項１６記載の設置物の設置方法。
【請求項１８】
前記梁に設置物を固定することを特徴とする請求項１７記載の設置物の設置方法。
【発明の詳細な説明】
【技術分野】
【０００１】
本発明は表示板、看板、梁等の種々の設置物、或いは梁を利用して門扉、棚、屋根等の構築物等を構成するための構築部材及び設置物の設置方法に関し、特に、支柱に対し後付けで設置物や構築物を容易に構成することの可能な連結部材からなる構築部材及び設置物の設置方法に関する。
【背景技術】
【０００２】
表示板等の設置物を梁に取り付け、固定する際、設置物は連結部材に取り付けられる。また、梁も連結部材に取り付けられるが、梁の形状により設置物の形状を決定してしまい、梁の形状、大きさ、方向を定めることは困難であり、さらに、表示角度を所望の角度に形成することも困難である。
【０００３】
柱の溝或いは連結部材の形状によって、表示板等の取り付け方法は決まり、また、梁を取り付ける場合にも連結部材の形状によって、梁の形状、大きさ、方向性が決められるため、梁を使用した構築物の製作や設置にも制限が生じる。
【０００４】
そもそも今までの簡易構築部材を作るためのアルミ型材は柱も梁も独自の型材として製作し、型材同士を結合させて構築物を作るという考え方であり、最終型の構築物の完成に適した型材を作るというものである。そのため、型の形状によって製作できる構築物の種類が制限され、製作方法にも制限のある工法である。
【０００５】
また、金属で構築物を作る場合、二つの考え方があり、一つは溶接を主にしたもので、単純な丸或いは四角の柱を使い、それに単純な丸又は四角の梁を溶接等により骨組みを作って構築物を製作していく工法である。素材的にはステンレス、鉄等を使用している。
【０００６】
もう一つは、アルミは溶接も可能ではあるが、組み立て式を主にした工法である。即ち、アルミ型材により組み立て易い型材を作り、ボルト等で締めて組み立てていく工法である。それ故、支柱の溝、又は連結部材の形状も、或いはアルミ製の梁も組み立て易い形状を主に考えて作られている。その結果、構築物の種類、大きさによって多種類のアルミ型材を作ることが必要になる。即ち、最終的完成物を想定し、アルミ型材を作っていることになる。
【発明の開示】
【発明が解決しようとする課題】
【０００７】
それ故、本発明の目的は、支柱に対し後付けで表示板、看板、梁等の設置物を容易に取り付け可能な連結部材からなる構築部材、当該構築部材を利用して梁の形状、大きさ、方向等が自由に選択できる構築物及び設置物の設置方法を提供することにある。
【０００８】
本発明の他の目的は、種々の梁になり得る素材、大きさ、形状を自由に選択でき、梁の方向性も自由に得ることができると共に、設置物の設置方法の制限がなくなり、設置物そのものの形状的条件、或いは設置するためのロケーション的条件も緩和された構築部材を提供することにある。
【０００９】
本発明の別の目的は、構築部材を構成する連結部材の組み立て場所が自由であり、また、複数の異なった場所に複数の連結部材を設置することが可能な構築部材を提供することにある。
【課題を解決するための手段】
【００１０】
本発明の第１の態様によると、複数個の連結部材からなる構築部材は、周辺に複数個の溝を有する支柱と、一端部が前記複数個の溝の少なくとも１つに係止される係止部と他端部に第１の連結部を有する第１の連結部材と、一端部に前記第１の連結部と回動自在に結合される第２の連結部を有すると共に他端部に取り付け部を有する第２の連結部材とを具備している。
【００１１】
本発明の第２の態様によると、複数個の連結部材からなる構築部材は、鉛直方向と垂直な平面において一方向に延び、互いに離間した一対の部材からなる構築部材であって、
前記部材の各々は、一端部が支柱に設けられた複数個の互いに離間した溝に係止される係止部と他端部に第１の連結部を有する第１の連結部材と、一端部に前記第１の連結部と回動自在に結合される第２の連結部を有すると共に他端部に取り付け部を有する第２の連結部材とを具備している。
【００１２】
本発明の第３の態様によると、設置物の設置方法は、周辺に互いに離間した複数個の溝を有する少なくとも１つの支柱を互いに対向するように埋設し、一端部が前記支柱に設けられた前記溝に係止される係止部と他端部に第１の連結部を有する第１の連結部材と、一端部に前記第１の連結部と回動自在に結合される第２の連結部を有すると共に他端部に取り付け部を有する第２の連結部材とからなる一対の部材を前記取り付け部が互いに対向するように前記各支柱の前記溝に取り付け、前記対向する取り付け部に設置物を取り付ける
ことを具備している。
【発明の効果】
【００１３】
第２の連結部材は第１の連結部材に対して回動自在、即ち、蝶番型の連結部材として構成されているので、種々の表示板、看板、梁等の設置物を後付けで設置することが容易となる。
【００１４】
また、設置物を設置する際、支柱の設置位置及び方向に影響されずに設置物が取り付けられる第２の連結部材の方向性を得ることができ、設置ロケーションに応じた設置物の設置が容易となる。
【００１５】
さらに、第２の連結部材に取り付けられる梁方向に任意性があるので、支柱さえあれば、当該支柱に後付けで任意の梁を延ばすことが可能になってベンチ等の重量物の設置も容易となり、後付けで複合的な構築物を形成することが容易になる。
【００１６】
また、支柱を見せる、見せないなど設置物のデザイン性についても自由度を有する設計が可能となる。
【００１７】
さらに、連結部材からなる構築部材は組み立て式により形成されているので、後付けに有利であり、構築物の増築、撤去も容易となる。
【発明を実施するための最良の形態】
【００１８】
本発明による実施例を図面に基づいて説明する。図１は埋設された支柱１０の立面図（a）及び平面図又は横断面図（ｂ）を示し、前記支柱１０は、例えば、アルミ型材からなり、周辺に複数個、例えば、前記支柱１０の長さ方向に延びる８個の溝１１を有している。なお、使用しない溝及び支柱頂部には化粧部材或いはライナーを必要に応じて取り付けてよい。
【００１９】
図２及び図３は第１の連結部材１２及び第２の連結部材１５の分解斜視図及び平面図を示し、前記第１の連結部材１２の一端部は前記支柱１０の前記溝１１の１つに鍔部１３のような係止部を介して結合される。この連結部材１２は図示しない固定ビスを介して前記溝１１に固定される。
【００２０】
また、第２の連結部材１５は端部に種々の表示板、看板、梁等の設置物を設ける取り付け部１７を有し、各連結部材の連結部１４及び１６は、図示しないボルト、ピンのような結合部材を介して結合され、前記第２の連結部材１５は前記第１の連結部材１２に対して回動自在、即ち、蝶番型の連結部として構成されている。この場合、図から明らかなように、前記第２の連結部材１５は前記第１の連結部材１２に対して前記結合部材の軸方向と垂直な平面において左右に回動する。また、前記取り付け部１７には、例えば、孔部１８が設けられ、前記設置物がボルト、ネジ等を介して取り付けられる。なお、必要に応じて前記孔部１８は形成しなくてもよい。
【００２１】
この場合、設置物を設置した後、前記第２の連結部材１５が回動しないように、ビス等により前記第２の連結部材１５が自在に回動しないように前記第１の連結部材１２に固定してもよい。
【００２２】
図３に示すように、前記第２の連結部材１５において、一端部に前記第1の連結部１４と回動自在に結合される前記第２の連結部１６を有する部分と他端部に前記取り付け部１７を有する部分とは前記結合部材の軸方向に対する垂直方向において０°〜９０°好ましくは４５°の角度を有している。これにより、第２の連結部材１５の取り付け部１７に取り付けた設置物が前記第２の連結部１６に当接することはなく、前記設置物に不所望な力がかかることはない。また、前記設置物が長尺であっても設置が容易となる。
【００２３】
図４は前記第１の連結部材１２と前記第２の連結部材１５との間に介在する第３の連結部材２１の平面図を示す。即ち、前記第３の連結部材２１は、一端部に前記第１の連結部１４と回動自在に結合される第３の連結部２２を有すると共に他端部に前記第２の連結部１６と回動自在に結合される第４の連結部２３を有しており、これらの結合も同様にボルト、ピン等の結合部材により結合される。そして、前記第１の連結部材１２と前記第２の連結部材１５間に前記第３の連結部材２１を介在させることにより、連結部材としての長さが調整され、構築部材としての自由度を一層増加することができる。また、このような第３の連結部材２１は１つに限らず、第４、第５の連結部材を順次連結することもできる。
【００２４】
図５は前記第１の連結部材１２を前記支柱１０の溝１１の１つに取り付けた状態の平面図を示す。この連結部材１２は前記鍔部１３を介して前記溝１１に固定され、固定ボルト、固定ビスにより固定される。
【００２５】
図６は前記第１の連結部材１２を前記支柱１０の溝１１の１つに取り付けた状態の平面図を示し、前記取り付け部１７の前記孔部１８を介して前記設置物がボルト、ネジ等により取り付けられる。
【００２６】
図７は前記支柱１０の複数個の溝１１のうち、互いに離間した溝１１に前記第１の連結部材１２と前記取り付け部１７を有する前記第２の連結部材１５からなる一対の連結部材を取り付けた平面図を示し、図７(a)〜（ｃ）は前記第２の連結部材１５の回動状態により一対の部材における取り付け部１７間の間隔がa1〜a３のように変化することを示す。
【００２７】
このような一対の取り付け部１７間に大きさ（径）の異なる、例えば、角型の梁を挿入して設置物を取り付けることができる。
【００２８】
図８は一対の連結部材として、各部材が前記第１の連結部材１２と前記第２の連結部材１５との間に介在する前記第３の連結部材２１を有する平面図を示し、図８(a)〜（ｃ）は図７(a)〜（ｃ）と同様に前記第２及び第３の連結部材１５、２１の回動状態により一対の部材間の間隔がa1〜a３のように変化することを示す。
【００２９】
図９はパネル等の長尺の設置物を設置する状態を示す平面図である。図示するように、周辺に互いに離間した複数個の溝１１を有する２つの支柱１０を互いに対向するように埋設し、前記各支柱１０の前記溝１１に前記第１の連結部材１２を固定すると共に前記連結部材１２の連結部に前記第２の連結部材１５を結合し、前記第２の連結部材１５の各取り付け部１７が互いに対向するようにしている。対向する前記取り付け部１７間にパネル等の設置物３０をボルト３１等により固定する。
【００３０】
図１０は梁となる角パイプ等を固定してベンチ、門扉、棚、屋根等の重量物を設置する状態を示す平面図である。即ち、互いに離間した一対の支柱１０の各々の複数個の溝１１のうち、互いに離間した溝１１にそれぞれ前記第１の連結部材１２と前記取り付け部１７を有する前記第２の連結部材１５からなる一対の連結部材を取り付け、１つの支柱１０に取り付けた２つの取り付け部１７が互いに対向するように、かつ、離間した支柱１０間の取り付け部１７同士が対向するように一連の部材、即ち、連結部材を配置する。
【００３１】
梁となる角パイプ４０を各取り付け部１７にボルト４１等の手段により固定する。しかる後、前記角パイプ４０に図示しないベンチ等の重量物を固定する。
【００３２】
図１１は、例えば、パネル等の設置物が３方向から見え、しかも支持する支柱が外部から見えない支持態様を示す平面図である。所望の高さの支柱１０を平面において３角形状を形成するように３本埋設する。前記したと同様に、各支柱１０の対向する溝にそれぞれ一連の前記第１及び第２の連結部材を結合し、前記各第２の連結部材の前記取り付け部１７に３枚にパネル５０〜５２を固定する。
【図面の簡単な説明】
【００３３】
【図１】埋設された支柱の立面図（ａ）と横断面図（ｂ）を示す図である。
【図２】本発明の実施例による第１の連結部材及び第２の連結部材の分解斜視図である。
【図３】本発明の実施例による第１の連結部材及び第２の連結部材の平面図である。
【図４】本発明の実施例による前記第１の連結部材と前記第２の連結部材との間に介在する第３の連結部材の平面図である。
【図５】本発明の実施例による前記第１の連結部材を前記支柱の溝の１つに取り付けた状態の平面図である。
【図６】本発明の実施例による前記第１の連結部材を前記支柱の溝の１つに取り付けた状態の平面図である。
【図７】本発明の実施例による前記支柱の複数個の溝のうち、互いに離間した溝に前記第１の連結部材と前記取り付け部を有する前記第２の連結部材からなる一対の連結部材を取り付けた平面図であり、(a)〜（ｃ）は前記第２の連結部材の回動状態により一対の部材間の間隔がa1〜a３のように変化することを示す。
【図８】本発明の実施例による一対の連結部材として、各部材が前記第１の連結部材と前記第２の連結部材との間に介在する前記第３の連結部材を有する平面図を示し、(a)〜（ｃ）は図７(a)〜（ｃ）と同様に前記第２及び第３の連結部材の回動状態により一対の部材間の間隔がa1〜a３のように変化することを示す。
【図９】本発明の実施例によるパネル等の長尺の設置物を設置する状態を示す平面図である。
【図１０】本発明の実施例による梁となる角パイプ等を固定してベンチ等の重量物を設置する状態を示す平面図である。
【図１１】本発明の実施例によるパネル等の設置物が３方向から見え、しかも支持する支柱が外部から見えない支持態様を示す平面図である。
【符号の説明】
【００３４】
１０…支柱、１１…溝、１２…第１の連結部材、１３…鍔部、１４，１６…連結部、１５…第２の連結部材、１７…取り付け部、１８…孔部、２１…第３の連結部材、２２…第３の連結部、２３…第４の連結部、３０…設置物、３１，４１…ボルト、５０〜５２…パネル
【図１】
2007278469.tif 000003
【図２】
2007278469.tif 000004
【図３】
2007278469.tif 000005
【図４】
2007278469.tif 000006
【図５】
2007278469.tif 000007
【図６】
2007278469.tif 000008
【図７】
2007278469.tif 000009
【図８】
2007278469.tif 000010
【図９】
2007278469.tif 000011
【図１０】
2007278469.tif 000012
【図１１】
2007278469.tif 000013